(57)【要約】【課題】重要な文書の印刷を実施する場合において、誤って裏紙で印刷を実施するおそれを低減することができる画像形成装置を提供する。【解決手段】画像形成装置１００は、複数の給紙部２１と、搬送部５０と、画像形成部６０と、記憶部４０と、制御部３０と、表示部９０とを備える。制御部３０は、入力画像データにキーワードが含まれると判定した場合、入力画像データを第１属性と特定する。制御部３０は、入力画像データにキーワードが含まれないと判定した場合、入力画像データを第２属性と特定する。制御部３０は、入力画像データが第１属性と特定された場合、設定された給紙部２１から搬送されるシートに画像が形成されているか否かを判定する。制御部３０は、設定された給紙部から搬送されるシートに画像が形成されていると判定した場合、設定された給紙部２１を変更するか否かを確認する確認画像Ｍ１を表示部に表示させる。【選択図】図１
2019184692.tif 000002
【特許請求の範囲】
【請求項１】
それぞれにシートを収容可能な複数の給紙部と、
前記複数の給紙部のそれぞれからシートを搬送する搬送部と、
入力画像データに基づいて前記搬送されるシートに画像を形成する画像形成部と、
キーワードを記憶する記憶部と、
前記画像形成部および前記搬送部を制御する制御部と、
確認画像を表示する表示部と
を備え、
前記制御部は、
前記入力画像データに基づいて前記キーワードが含まれるか否かを判定し、
前記入力画像データに前記キーワードが含まれると判定した場合、前記入力画像データを第１属性と特定し、
前記入力画像データに前記キーワードが含まれないと判定した場合、前記入力画像データを第２属性と特定し、
前記入力画像データが前記第１属性と特定された場合、設定された給紙部から搬送されるシートに画像が形成されているか否かを判定し、
設定された給紙部から搬送されるシートに画像が形成されていると判定した場合、設定された給紙部を変更するか否かを確認する確認画像を前記表示部に表示させる、画像形成装置。
【請求項２】
前記制御部は、前記入力画像データのファイル名に前記キーワードが含まれるか否かを判定し、前記入力画像データが前記第１属性と前記第２属性とのいずれであるかを特定する、請求項１に記載の画像形成装置。
【請求項３】
前記入力画像データは入力画像を示し、
前記制御部は、前記入力画像に前記キーワードが含まれるか否かを判定し、前記入力画像データが前記第１属性と前記第２属性とのいずれであるかを特定する、請求項１または請求項２に記載の画像形成装置。
【請求項４】
前記入力画像データは入力画像を示し、
前記制御部は、前記入力画像データのファイル名に前記キーワードが含まれるか否かを判定し、前記ファィル名に前記キーワードが含まれると判定した場合、前記入力画像データが前記第１属性であると判定し、
前記ファイル名に前記キーワードが含まれていないと判定した場合、前記制御部は、前記入力画像に前記キーワードが含まれるか否かを判定し、前記入力画像に前記キーワードが含まれると判定した場合、前記入力画像データが前記第１属性であると判定し、前記入力画像に前記キーワードが含まれないと判定した場合、前記入力画像データが前記第２属性であると判定する、請求項１に記載の画像形成装置。
【請求項５】
前記給紙部から搬送されるシートに画像が形成されているか否かを検知する検知部をさらに備え、
前記入力画像データが前記第１属性と特定された場合、前記制御部は、給紙部から搬送されるシートに画像が形成されているか否かを検知するように前記検知部を制御する、請求項１から請求項４のいずれか１項に記載の画像形成装置。
【請求項６】
前記確認画像は、変更ボタンと中止ボタンとを含み、
前記制御部は、
前記変更ボタンと前記中止ボタンとのいずれが選択されたかを判定し、
前記変更ボタンが選択されたと判定した場合、前記複数の給紙部のうちの設定された給紙部とは異なる給紙部からシートを前記画像形成部に搬送するように前記搬送部を制御し、
前記中止ボタンが選択されたと判定した場合、画像形成を中止するように前記画像形成部を制御する、請求項１から請求項５のいずれか１項に記載の画像形成装置。
【請求項７】
前記画像形成部が複数の枚数のシートに画像を形成する際、全ての枚数の画像の形成が完了する前に、設定された給紙部から搬送されるシートに画像が形成されていると前記制御部が判定した場合、前記制御部は通知画像を表示し、
前記通知画像は、搬送されるシートに画像が形成されていることを通知する画像である、請求項１から請求項６のいずれか１項に記載の画像形成装置。
【請求項８】
前記制御部は、前記入力画像データが前記第２属性と特定された場合、設定された給紙部から搬送されるシートに画像が形成されているか否かを判定することなく、設定された給紙部から搬送されるシートに画像を形成するように前記画像形成部を制御する、請求項１から請求項７のいずれか１項に記載の画像形成装置。
【発明の詳細な説明】
【技術分野】
【０００１】
本発明は、画像形成装置に関する。
【背景技術】
【０００２】
紙を大量に使用するオフィスでは、環境問題への対応や資源の再利用という点に鑑み、プリンターやコピー機等の画像形成装置において、片面のみに画像が形成されて使用済みとなった記録用紙（以下、「裏紙」という）をとっておき、その記録用紙の画像が形成されていない面に別の画像を形成して再利用するということが行われている。特許文献１の画像形成装置は、用紙情報設定部材によって給紙カセットに裏紙が収容されていることを設定する。
【先行技術文献】
【特許文献】
【０００３】
【特許文献１】特開２００４−１１７４２８号公報
【発明の概要】
【発明が解決しようとする課題】
【０００４】
外部へ提供するような重要な文書を印刷する場合は、裏紙を使用するのは好ましくない。しかしながら、特許文献１の画像形成装置は、ユーザーが設定を間違えると、重要な文書に対して裏紙を使用するおそれがあった。
【０００５】
本発明は上記課題に鑑みてなされたものであり、その目的は重要な文書の印刷を実施する場合において、誤って裏紙で印刷を実施するおそれを低減することができる画像形成装置を提供することにある。
【課題を解決するための手段】
【０００６】
本発明に係る画像形成装置は、複数の給紙部と、搬送部と、画像形成部と、記憶部と、制御部と、表示部とを備える。前記複数の給紙部は、それぞれにシートを収容可能である。前記搬送部は、前記複数の給紙部のそれぞれからシートを搬送する。前記画像形成部は、入力画像データに基づいて前記搬送されるシートに画像を形成する。前記記憶部は、キーワードを記憶する。前記制御部は、前記画像形成部および前記搬送部を制御する。前記表示部は、確認画像を表示する。前記制御部は、前記入力画像データに基づいて前記キーワードが含まれるか否かを判定する。前記制御部は、前記入力画像データに前記キーワードが含まれると判定した場合、前記入力画像データを第１属性と特定する。前記制御部は、前記入力画像データに前記キーワードが含まれないと判定した場合、前記入力画像データを第２属性と特定する。前記制御部は、前記入力画像データが前記第１属性と特定された場合、設定された給紙部から搬送されるシートに画像が形成されているか否かを判定する。前記制御部は、設定された給紙部から搬送されるシートに画像が形成されていると判定した場合、設定された給紙部を変更するか否かを確認する確認画像を前記表示部に表示させる。
【発明の効果】
【０００７】
本発明に係る画像形成装置によれば、重要な文書の印刷を実施する場合において、誤って裏紙で印刷を実施するおそれを低減することができる。
【図面の簡単な説明】
【０００８】
【図１】本発明の実施形態に係る画像形成装置を示す模式図である。
【図２】記憶部が記憶するキーワードを示す図である。
【図３】入力画像を示す図である。
【図４】画像形成装置の操作パネルを示す図である。
【図５】本発明の実施形態に係る画像形成方法を示すフローチャートである。
【図６】本発明の実施形態に係る入力画像データの属性の特定方法を示すフローチャートである。
【図７】画像形成装置の操作パネルを示す図である。
【発明を実施するための形態】
【０００９】
以下、本発明の実施形態について、図面を参照しながら説明する。なお、図中、同一または相当部分については同一の参照符号を付して説明を繰り返さない。
【００１０】
図１および図２を参照して本発明に係る画像形成装置１００の実施形態を説明する。図１は、本発明の実施形態に係る画像形成装置１００を示す模式図である。図２は、記憶部４０が記憶するキーワードを示す図である。画像形成装置１００は、例えば、複写機、プリンター、または複合機である。以下では、一例として、画像形成装置１００がプリンター機能と複写機能とファクシミリ機能とを有するモノクロ複合機である場合について説明する。
【００１１】
図１に示すように、画像形成装置１００は、画像読取部１０と、給紙ユニット２０と、制御部３０と、記憶部４０と、通信部４５と、搬送部５０と、画像形成部６０と、複数の検知部７０と、入力部８０と、表示部９０と、原稿台１２と、原稿搬送装置１１０と、排出部１７０とを備える。
【００１２】
画像読取部１０は、原稿Ｇに形成された画像を読み取り入力画像データを取得する。詳しくは、画像読取部１０は、原稿搬送装置１１０によって搬送された原稿Ｇに形成された画像、または、原稿台１２に載置された原稿Ｇに形成された画像を読み取り入力画像データを取得する。原稿搬送装置１１０は、連続して原稿Ｇを搬送することができる。
【００１３】
給紙ユニット２０は、複数の給紙部を有する。複数の給紙部は、給紙部２１ａ、給紙部２１ｂ、給紙部２１ｃおよび給紙部２１ｄを含む。本明細書において、給紙部２１ａ、給紙部２１ｂ、給紙部２１ｃおよび給紙部２１ｄを総称して給紙部２１と記載することがある。複数の給紙部２１のそれぞれは、シートＰを収容可能である。給紙部２１ａ、給紙部２１ｂおよび給紙部２１ｃには、シートＰ１が収容されている。シートＰ１は、白紙である。一方、給紙部２１には、シートＰ２が収容されている。シートＰ２は、裏紙である。
【００１４】
搬送部５０は複数の給紙部２１のそれぞれからシートＰ１またはシートＰ２を搬送する。複写を行う際、複数の給紙部２１のうちユーザーによって設定された給紙部内のシートＰ１またはシートＰ２は、画像形成部６０を経由して排出部１７０から排出されるように、搬送部５０によって搬送される。
【００１５】
制御部３０は、ＣＰＵ（Ｃｅｎｔｒａｌ  Ｐｒｏｃｅｓｓｉｎｇ  Ｕｎｉｔ）のようなプロセッサー、およびＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）等によって構成されるハードウェア回路である。制御部３０は、記憶部４０に記憶された制御プログラムをプロセッサーが読み出して実行することによって、画像形成装置１００の各部の動作を制御する。制御部３０は、例えば、画像形成部６０および搬送部５０を制御する。制御部３０は、ＯＣＲ（Ｏｐｔｉｃａｌ  Ｃｈａｒａｃｔｅｒ  Ｒｅｃｏｇｎｉｔｉｏｎ）機能を有する。ＯＣＲ機能は、読取原稿に形成された画像に含まれる文字（例えば、平仮名、カタカナ、アルファベッド、漢字、数字、記号）を光学的に認識し、文字を文字コードに変換する機能である。
【００１６】
記憶部４０は、ＨＤＤ（Ｈａｒｄ  Ｄｉｓｋ  Ｄｒｉｖｅ）、ＲＡＭ（Ｒａｎｄｏｍ  Ａｃｃｅｓｓ  Ｍｅｍｏｒｙ）、およびＲＯＭ（Ｒｅａｄ  Ｏｎｌｙ  Ｍｅｍｏｒｙ）によって構成される。記憶部４０は、外部メモリーを含んでいてもよい。外部メモリーは、リムーバブルメディアである。記憶部４０は、外部メモリーとして、例えば、ＵＳＢ（Ｕｎｉｖｅｒｓａｌ  Ｓｅｒｉａｌ  Ｂｕｓ）メモリー、およびＳＤ（Ｓｅｃｕｒｅ  Ｄｉｇｉｔａｌ）カードを含む。記憶部４０は、各種のデータ、および、画像形成装置１００の各部の動作を制御するための制御プログラムを記憶する。制御プログラムは、制御部３０によって実行される。記憶部４０は、図２に示すように、キーワードを記憶する。キーワードは、重要な文書であることを示す文字列である、キーワードは、例えば、「Ｄｅｅｄ  ｏｆ  Ｓａｌｅ」である。
【００１７】
再び、図１を参照する。通信部４５は、同じ通信方式（プロトコル）を利用する通信機が搭載された電子機器との間で通信が可能である。本実施形態において、通信部４５は、ＬＡＮ（Ｌｏｃａｌ  Ａｒｅａ  Ｎｅｔｗｏｒｋ）などのネットワーク網を介して外部装置と通信する。通信部４５は、例えば、ＬＡＮボードのような通信モジュール（通信機器）である。
【００１８】
外部装置は、ユーザーが使用する装置であり、具体的には、パーソナルコンピューター、またはタブレット端末装置である。本実施形態において、ユーザーは、外部装置を操作することによって、画像形成装置１００に対して印刷ジョブを送信する。
【００１９】
画像形成部６０は、入力画像データに基づいて搬送されるシートＰに画像を形成する。入力画像データは、例えば、外部装置から送信させる印刷ジョブである。あるいは、入力画像データは、画像読取部１０によって読み取られた画像データである。
【００２０】
複数の検知部７０は、検知部７０ａ〜検知部７０ｆを含む。検知部７０は、搬送されるシートＰに画像が形成されているか否かを検知する。検知部７０ａ〜検知部７０ｄは、例えば、センサーである。検知部７０ａ、検知部７０ｂ、検知部７０ｃおよび検知部７０ｄのそれぞれは、給紙部２１ａ、給紙部２１ｂ、給紙部２１ｃおよび給紙部２１ｄに設けられる。検知部７０ａ、検知部７０ｂ、検知部７０ｃおよび検知部７０ｄのそれぞれは、給紙部２１ａ、給紙部２１ｂ、給紙部２１ｃおよび給紙部２１ｄに収容されているシートＰの表面に画像が形成されているか否かを検知する。検知部７０ｅおよび検知部７０ｆは、例えば、スキャナーである。検知部７０ｅおよび検知部７０ｆは、給紙部２１から画像形成部６０までの搬送経路に設けられる。検知部７０ｅは、搬送部５０に搬送されたシートＰの表面に画像が形成されているか否かを検知する。検知部７０ｆは、搬送部５０に搬送されたシートＰの裏面に画像が形成されているか否かを検知する。
【００２１】
表示部９０は、ソフトウェアボタンを表示可能なタッチパネル機能を有するディスプレーであり、操作パネルに配置される。このようなタッチパネル機能は、表示部９０と入力部８０とを兼ね得る。表示部９０は、確認画像を表示する。確認画像は、例えば、設定された給紙部２１を変更するか否かを確認する画像である。
【００２２】
入力部８０は、例えば、タッチパネル機能と種々のハードウェアボタンとを有する操作パネルである。入力部８０には、ユーザーによる指示が入力される。ハードウェアボタンは、スタートボタン８１を含む。
【００２３】
図１〜図４を参照して、画像形成装置１００についてさらに説明する。図３は、入力画像Ｕを示す図である。図４は、画像形成装置１００の操作パネルを示す図である。
【００２４】
制御部３０は、入力画像データに基づいてキーワードが含まれるか否かを判定した結果に基づいて、確認画像を表示部９０に表示させる。詳しくは、まず、制御部３０は、入力画像データに基づいてキーワードが含まれるか否かを判定する。
【００２５】
次に、制御部３０は、入力画像データの属性を特定する。詳しくは、制御部３０は、入力画像データにキーワードが含まれると判定した場合、入力画像データを第１属性と特定する。第１属性は、重要な文書であることを示す属性である。一方、入力画像データにキーワードが含まれないと判定した場合、入力画像データを第２属性と特定する。第２属性は、通常の文書であることを示す属性である。例えば、制御部３０は、入力画像データのファイル名にキーワードが含まれるか否かを判定し、入力画像データが第１属性と第２属性とのいずれであるかを特定する。
【００２６】
あるいは、例えば、制御部３０は、入力画像にキーワードが含まれるか否かを判定し、入力画像データが第１属性と第２属性とのいずれであるかを特定する。制御部３０は、ＯＣＲなどで画像から文字列を抽出して、記憶部４０に記憶されたキーワードが抽出した文字列に含まれるか否かで判定する。
【００２７】
図３を参照して、入力画像Ｕにキーワードが含まれるか否かの判定方法について説明する。図３は、入力画像Ｕを示す図である。入力画像Ｕは、タイトル画像２１２と、非タイトル画像２１４とを含む。タイトル画像２１２は、タイトルを示すテキスト画像を示す。非タイトル画像２１４は、タイトル画像２１２以外のテキスト画像を示す。制御部３０は、例えば、テキスト画像のうち先頭の行または先頭の列に形成されているテキスト画像をタイトル画像２１２と特定する。あるいは、制御部３０は、例えば、テキスト画像のうち文字の大きさが最大であるテキスト画像をタイトル画像２１２と特定する。
【００２８】
制御部３０は、タイトル画像２１２にキーワードが含まれるか否かを判定する。ここでは、タイトル画像２１２にキーワードを示す「ＤＥＥＤ  ＯＦ  ＳＡＬＥ」に含まれているため、制御部３０は、入力画像Ｕにキーワードが含まれていると判定する。なお、タイトル画像２１２にキーワードが含まれないと判定した場合、制御部３０は、非タイトル画像２１４にキーワードが含まれるか否かを判定する。すなわち、制御部３０は、全文に対してキーワードが含まれるか否かを判定する。
【００２９】
入力画像データが第１属性と特定された場合、設定された給紙部２１から搬送されるシートＰに画像が形成されているか否かを制御部３０は判定する。入力画像データが第１属性と特定された場合、設定された給紙部２１から搬送されるシートＰに画像が形成されているか否かを判定する。詳しくは、入力画像データが第１属性と特定された場合、制御部３０は、給紙部２１から搬送されるシートＰに画像が形成されているか否かを検知するように検知部７０を制御する。
【００３０】
例えば、ユーザーによって設定された給紙部２１が給紙部２１ｄである場合、搬送されるシートＰ２は裏紙であるため、検知部７０ｄはシートＰに画像が形成されていることを検知する。したがって、制御部３０は、設定された給紙部２１から搬送されるシートＰに画像が形成されていると判定する。一方、ユーザーによって設定された給紙部２１が給紙部２１ｃである場合、搬送されるシートＰ１は白紙であるため、検知部７０ｃはシートＰに画像が形成されていないことを検知する。したがって、制御部３０は、設定された給紙部２１から搬送されるシートＰに画像が形成されていないと判定する。
【００３１】
設定された給紙部２１から搬送されるシートＰに画像が形成されていると制御部３０が判定した場合、確認画像Ｍ１を制御部３０は表示部９０に表示させる。確認画像Ｍ１は、設定された給紙部２１を変更するか否かを確認するための画像である。図４に示すように、確認画像Ｍ１は、例えば、「原稿は白紙で印刷する必要があります。給紙部を変更しますか？」の通知文を示す画像である。
【００３２】
確認画像Ｍ１は、変更ボタン２２２と中止ボタン２２４とを含む。変更ボタン２２２は、画像形成のために設定された給紙部２１を変更するためのボタンである。中止ボタン２２４は、画像形成を中止するためのボタンである。制御部３０は、変更ボタン２２２と中止ボタン２２４とのいずれが選択されたかを判定する。制御部３０が変更ボタン２２２が選択されたと判定した場合、複数の給紙部２１のうちの設定された給紙部２１とは異なる給紙部２１からシートＰを画像形成部６０に搬送するように、制御部３０は搬送部５０を制御する。例えば、裏紙であるシートＰ２が収容されている給紙部２１ｄが設定されている場合、制御部３０は、設定されている給紙部２１を白紙であるシートＰ１が収容されている給紙部２１ｃに変更する。一方、中止ボタン２２４が選択されたと判定した場合、画像形成を中止するように、制御部３０は画像形成部６０を制御する。
【００３３】
なお、入力画像データが第２属性と特定された場合、制御部３０は、設定された給紙部２１から搬送されるシートＰに画像が形成されているか否かを判定することなく、シートＰに画像を形成するように画像形成部６０を制御する。
【００３４】
図１〜図５を参照して、本発明の実施形態に係る画像形成方法について説明する。図５は、本発明の実施形態に係る画像形成方法を示すフローチャートである。図５に示すステップＳ１０２〜ステップＳ１１８の処理が実行されることによって、画像形成が行われる。
【００３５】
ステップＳ１０２：入力画像データを受信する。詳しくは、外部装置から印刷ジョブが送信される。通信部４５は、印刷ジョブを受信する。処理は、ステップＳ１０４に進む。
【００３６】
ステップＳ１０４：制御部３０は、入力画像データの属性を特定する。属性の特定方法については、図６を参照して後述する。処理は、ステップＳ１０６に進む。
【００３７】
ステップＳ１０６：制御部３０は、入力画像データの属性が第１属性および第２属性のいずれであるかを判定する。入力画像データの属性が第２属性であると制御部３０が判定した場合（ステップＳ１０６：第２属性）、処理はステップＳ１１６に進み、シートＰに画像を形成する。すなわち、通常の文書であるため、白紙および裏紙のいずれでも画像を形成してよいため、設定されている給紙部２１から搬送されたシートＰに画像形成部６０は画像を形成する。入力画像データの属性が第１属性であると制御部３０が判定した場合（ステップＳ１０６：第１属性）、処理は、ステップＳ１０８に進む。
【００３８】
ステップＳ１０８：制御部３０は、シートＰが裏紙であるか否かを判定する。詳しくは、設定された給紙部２１から搬送されるシートＰに画像が形成されているか否かを制御部３０は判定する。シートＰが裏紙でないと判定した場合（ステップＳ１０８：Ｎｏ）、処理はステップＳ１１６に進み、シートＰに画像を形成する。すなわち、重要な文書であるが、シートＰが白紙であるため、設定されている給紙部２１から搬送されたシートＰに画像形成部６０は画像を形成する。シートＰが裏紙であると判定した場合（ステップＳ１０８：Ｙｅｓ）、処理は、ステップＳ１１０に進む。
【００３９】
ステップＳ１１０：制御部３０は、図４に示す確認画像Ｍ１を表示部９０に表示させる。処理は、ステップＳ１１２に進む。
【００４０】
ステップＳ１１２：制御部３０は、選択されたボタンが変更ボタン２２２および中止ボタン２２４のいずれであるかを判定する。選択されたボタンが中止ボタン２２４であると制御部３０が判定した場合（ステップＳ１１２：中止ボタン）、処理は、ステップＳ１１８に進む。選択されたボタンが変更ボタン２２２であると制御部３０が判定した場合（ステップＳ１１２：変更ボタン）、処理は、ステップＳ１１４に進む。
【００４１】
ステップＳ１１４：制御部３０は、設定されている給紙部２１を変更する。例えば、裏紙であるシートＰ２が収容されている給紙部２１ｄが設定されている場合、制御部３０は、設定されている給紙部２１を白紙であるシートＰ１が収容されている給紙部２１ｃに変更する。処理はステップＳ１１６に進み、シートＰに画像を形成する。すなわち、重要な文書であるため、白紙であるシートＰ１が収容されている給紙部２１ｃに変更したうえでシートＰに画像形成部６０は画像を形成する。
【００４２】
ステップＳ１１６：画像形成部６０は、シートＰに画像を形成する。処理は、終了する。
【００４３】
ステップＳ１１８：画像形成を中止するように、制御部３０は画像形成部６０を制御する。処理は、終了する。
【００４４】
図１〜図４および図６を参照して、入力画像データの属性の特定方法について説明する。図６は、本発明の実施形態に係る入力画像データの属性の特定方法を示すフローチャートである。図６に示すステップＳ２０２〜ステップＳ２１０の処理が実行されることによって、入力画像データの属性の特定が行われる。
【００４５】
ステップＳ２０２：制御部３０は、入力画像データのファイル名にキーワードが含まれるか否かを判定する。入力画像データのファイル名にキーワードが含まれると制御部３０が判定した場合（ステップＳ２０２：Ｙｅｓ）、処理は、ステップＳ２１０に進む。入力画像データのファイル名にキーワードが含まれないと制御部３０が判定した場合（ステップＳ２０２：Ｎｏ）、処理は、ステップＳ２０４に進む。
【００４６】
ステップＳ２０４：制御部３０は、入力画像Ｕのタイトルにキーワードが含まれるか否かを判定する。入力画像Ｕのタイトルにキーワードが含まれると制御部３０が判定した場合（ステップＳ２０４：Ｙｅｓ）、処理は、ステップＳ２１０に進む。入力画像Ｕのタイトルにキーワードが含まれないと制御部３０が判定した場合（ステップＳ２０４：Ｎｏ）、処理は、ステップＳ２０６に進む。
【００４７】
ステップＳ２０６：制御部３０は、入力画像Ｕのタイトル以外にキーワードが含まれるか否かを判定する。入力画像Ｕのタイトル以外にキーワードが含まれると制御部３０が判定した場合（ステップＳ２０６：Ｙｅｓ）、処理は、ステップＳ２１０に進む。入力画像Ｕのタイトル以外にキーワードが含まれないと制御部３０が判定した場合（ステップＳ２０６：Ｎｏ）、処理は、ステップＳ２０８に進む。
【００４８】
ステップＳ２０８：制御部３０は、入力画像データの属性を第２属性に特定する。処理は、終了する。
【００４９】
ステップＳ２１０：制御部３０は、入力画像データの属性を第１属性に特定する。処理は、終了する。
【００５０】
以上、図１〜図６を参照して説明したように、制御部３０は、入力画像データに基づいてキーワードが含まれるか否かを判定する。入力画像データにキーワードが含まれると判定した場合、入力画像データを第１属性と特定する。一方、入力画像データにキーワードが含まれないと判定した場合、入力画像データを第２属性と特定する。そして、入力画像データが第１属性と特定された場合、設定された給紙部２１から搬送されるシートＰに画像が形成されているか否かを判定する。設定された給紙部２１から搬送されるシートＰに画像が形成されていると判定した場合、設定された給紙部２１を変更するか否かを確認する確認画像Ｍ１を表示部９０に表示させる。したがって、重要な文書の印刷を実施する場合において、誤って裏紙で印刷を実施するおそれを低減することができる。
【００５１】
また、制御部３０は、入力画像データのファイル名にキーワードが含まれるか否かを判定し、入力画像データが第１属性と第２属性とのいずれであるかを特定する。したがって、制御部３０は、印刷する文書が重要な文書であるか否かを特定することができる。
【００５２】
また、制御部３０は、入力画像Ｕにキーワードが含まれるか否かを判定し、入力画像データが第１属性と第２属性とのいずれであるかを特定する。したがって、制御部３０は、印刷する文書が重要な文書であるか否かを特定することができる。
【００５３】
また、変更ボタン２２２が選択されたと判定した場合、複数の給紙部２１のうちの設定された給紙部２１とは異なる給紙部２１からシートＰを画像形成部６０に搬送するように、制御部３０は搬送部５０を制御する。したがって、ユーザーが変更ボタン２２２を選択することによって、自動的に裏紙が収容された給紙部２１と異なる給紙部２１が選択される。したがって、ユーザーの利便性を向上しつつ、誤って裏紙で印刷を実施するおそれを低減することができる。一方、中止ボタン２２４が選択されたと判定した場合、画像形成を中止するように、制御部３０は、画像形成部６０を制御する。したがって、誤って裏紙で印刷を実施するおそれを低減することができる。
【００５４】
また、制御部３０は、入力画像データのファイル名にキーワードが含まれるか否かを判定し、ファィル名にキーワードが含まれると判定した場合、入力画像データが第１属性であると判定する。そして、ファイル名にキーワードが含まれていないと判定した場合、制御部３０は、入力画像Ｕにキーワードが含まれるか否かを判定する。入力画像Ｕにキーワードが含まれると判定した場合、入力画像データが第１属性であると判定する。一方、入力画像Ｕにキーワードが含まれないと判定した場合、入力画像データが第２属性であると判定する。すなわち、制御部３０は、入力画像データの属性を判定する場合、入力画像データのファイル名、入力画像Ｕの順に、キーワードが含まれるか否かを判定する。したがって、制御部３０のキーワードの検索の負荷を低減することができる。
【００５５】
なお、複数の枚数のシートＰに画像を形成する際、全ての枚数の画像の形成が完了する前に、途中のページで裏紙が検出された場合、制御部３０は通知画像を表示部９０に表示させてもよい。
【００５６】
図１および図７を参照して、通知画像Ｍ２について説明する。図７は、画像形成装置１００の操作パネルを示す図である。図７に示すように、複数枚のシートＰに画像を形成する際、全ての枚数の画像の形成が完了する前に、設定された給紙部２１から搬送されるシートＰに画像が形成されていると制御部３０が判定した場合、制御部３０は通知画像Ｍ２を表示部９０に表示させる。通知画像Ｍ２は、搬送されるシートＰに画像が形成されていることを通知する画像である。通知画像Ｍ２は、例えば、「裏紙が検出されました。給紙部を確認し、用紙を入れ替えてください。」の通知文を示す画像である。通知画像Ｍ２は、ＯＫボタン２３２を含む。ユーザーによってＯＫボタン２３２がタッチされると、制御部３０は、通知画像Ｍ２の表示を消すように表示部９０を制御する。
【００５７】
ユーザーによって、給紙部２１から裏紙が取り除かれることによって、制御部３０が給紙部２１に収容されているシートＰが裏紙で無いと判定した場合、残りのページの印刷が再開される。
【００５８】
以上、図１および図７を参照して説明したように、画像形成部６０が複数の枚数のシートＰに画像を形成する際、全ての枚数の画像の形成が完了する前に、設定された給紙部２１から搬送されるシートＰに画像が形成されていると制御部３０が判定した場合、制御部３０は通知画像Ｍ２を表示する。したがって、白紙用の給紙部２１に裏紙が混入している場合であっても、裏紙で印刷を実施するおそれを低減することができる。
【００５９】
以上、図面（図１〜図７）を参照しながら本発明の実施形態を説明した。但し、本発明は、上記の実施形態に限られるものではなく、その要旨を逸脱しない範囲で種々の態様において実施することが可能である。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【符号の説明】
【００６０】
２１、２１ａ、２１ｂ、２１ｃ、２１ｄ  給紙部
３０      制御部
４０      記憶部
５０      搬送部
６０      画像形成部
７０、７０ａ、７０ｂ、７０ｃ、７０ｄ、７０ｅ、７０ｆ  検知部
９０      表示部
１００    画像形成装置
２２２    変更ボタン
２２４    中止ボタン
Ｍ１      確認画像
Ｍ２      通知画像
Ｐ、Ｐ１、Ｐ２  シート
Ｕ        入力画像
【図１】
2019184692.tif 000003
【図２】
2019184692.tif 000004
【図３】
2019184692.tif 000005
【図４】
2019184692.tif 000006
【図５】
2019184692.tif 000007
【図６】
2019184692.tif 000008
【図７】
2019184692.tif 000009